(57)【要約】【課題】指力測定装置の提供。【解決手段】一種の指力測定装置、この指力測定装置の測定素子に指の加圧力量を測定する圧接部、または引張力を測定する開き部を設け、指の加圧力量をセンサーに伝送させるか、または圧力源の開き力量を開き部に伝送する。さらに、このセンサーと圧力源はそれぞれに表示素子と接続し、指の加圧力量または引張力量を表示素子に表示させ、利用者は指の加圧力量または引張力量を素早く、かつ、正確に測定できることを特徴とする。【選択図】図１７
2007167188.tif 000002
【特許請求の範囲】
【請求項１】
測定素子はセンサーと表示素子に連結し、この測定素子は指の力掛かける圧接部を設け、
測定するとき、測定される指を測定素子の圧接部に押すことにより、圧接部より指の力をセンサーに伝送した後、表示素子より指の加圧力量を表示させることを実現する一種の指力測定装置。
【請求項２】
請求項１記載の指力測定装置において、センサーは圧力計であり、表示素子は液晶表示装置を設けることを特徴とする指力測定装置。
【請求項３】
請求項１記載の指力測定装置において、センサーは伸縮バネ、表示素子は目盛り表示式、連結素子により測定素子の圧接部とセンサーの伸縮バネに連結しておき、測定するとき、指針に指した目盛りは指の加圧力量の値であることを特徴とする指力測定装置。
【請求項４】
請求項１記載の指力測定装置において、センサーと表示素子は圧力計であることを特徴とする指力測定装置。
【請求項５】
請求項１記載の指力測定装置において、測定素子に補助器を設け、補助器に測定素子外部に噛み合わせるための噛み合わせ体を設けて、噛み合わせ体の開口部に２枚の圧板を設け、
測定する指により圧板を閉合させ、
測定素子はさらに、圧力源に連結し、圧力源はきたい又は流体を測定素子に導入し、膨らませて、圧板を開かれたとき、表示素子に指の引張力量を表示することを特徴とする指力測定装置。
【請求項６】
請求項５記載の指力測定装置において、圧板は指で押すときに接触する貫通孔を設けることを特徴とする指力測定装置。
【請求項７】
請求項５記載の指力測定装置において、圧力源はゴムボールであり、このボムボールに空気弁を設け、空気は絞り操作により、測定素子に内部に流入し膨らませることを特徴とする指力測定装置。
【請求項８】
請求項５記載の指力測定装置において、圧力源はモータにより、ピストンシートを駆動し、ピストン台の空気を空気入口から空気出口に圧送し、導管により空気を測定素子に導入して膨らませ、
さらに、補助器に設ける２枚の圧板に正・負極電線を設け、閉合するときを導通状態となり、モータを稼働させ、開いたときは閉路状態になり、モータの稼働を停止することを特徴とする指力測定装置。
【請求項９】
一種の指力測定装置、主に測定素子、圧力源、表示素子より構成し、
そのうち、測定素子に指の力を掛ける圧接部と開き部を設け、
測定するとき、指の力を測定素子の圧接部に掛かり、圧力源により、圧力の値を開き部に伝送した上、表示素子より指力の引張力量を表示することを特徴とする指力測定装置。
【請求項１０】
請求項１または請求項９記載の指力測定装置において、圧接部と開き部に指で押すときに接触する貫通孔を設けることを特徴とする指力測定装置。
【請求項１１】
請求項１または請求項９記載の指力測定装置において、測定素子は二つの指サックを設け、この二つの指サックに正・負極電線を設ける、
さらに、この二つの指サックに指で接触するための孔を設け、被測定者の指を指サックに挿入し、孔で接触した上、正・負極導電体により、２本指の電流、抵抗、周波数および電気エネルギーの値を測定し、電流、抵抗、周波数および電気エネルギーの値を表示素子より表示することを特徴とする指力測定装置。
【請求項１２】
請求項１または請求項９記載の指力測定装置において、測定素子はピストル形状に類似することを特徴とする指力測定装置。
【発明の詳細な説明】
【技術分野】
【０００１】
本発明は指力測定装置、特に一種の指の加圧力量または引張力量の測定技術を応用することにより、素早く、かつ、正確な指力測定数値を提供できる。
【背景技術】
【０００２】
通常、市販の運動器材は、腕引っ張り力測定器、腕力測定器などの製品がある。しかし、指力量の測定に関わる製品はいままでにない。
【発明の開示】
【発明が解決しようとする課題】
【０００３】
本発明者は指力測定製品の設計、製造をもっぱらに従事し、永年の実務経験と心得により、一種の指の引張力量と加圧力量を測定できる測定器の提供に思案した。おもに、指力測定器により、親指とその他４本指のいずれにリング状に折り曲げたとき、指力測定装置は開きと押さえの力量または１本指の折り曲げ力量を測定できる。
【０００４】
いわば、指力測定器により親指とその他いずれの４本指を折り曲げた状態において、指力測定器によって、開きおよび押さえ込み、または１本指を折り曲げたときの力量を測定する。
【０００５】
本発明の指力測定器は、さらに測定素子の開き部に正・負極導電体を設け、指で触れたとき、２本の指を環状に組んで指サックに挿入し、圧力を加えた状態において、正・負極導電体により、２本指間の電流、抵抗値、周波数および電気エネルギーを測定した上、電流、抵抗値および電気エネルギーの数値を表示素子に表示させ、親指と人指し指（または他の指）間の電流、抵抗値、周波数および電気エネルギーなどの変化値を測定する目的を実現できる。
【課題を解決するための手段】
【０００６】
請求項１の発明は、測定素子はセンサーと表示素子に連結し、この測定素子は指の力掛かける圧接部を設け、
測定するとき、測定される指を測定素子の圧接部に押すことにより、圧接部より指の力をセンサーに伝送した後、表示素子より指の加圧力量を表示させることを実現する一種の指力測定装置としている。
請求項２の発明は、請求項１記載の指力測定装置において、センサーは圧力計であり、表示素子は液晶表示装置を設けることを特徴とする指力測定装置としている。
請求項３の発明は、請求項１記載の指力測定装置において、センサーは伸縮バネ、表示素子は目盛り表示式、連結素子により測定素子の圧接部とセンサーの伸縮バネに連結しておき、測定するとき、指針に指した目盛りは指の加圧力量の値であることを特徴とする指力測定装置としている。
請求項４の発明は、請求項１記載の指力測定装置において、センサーと表示素子は圧力計であることを特徴とする指力測定装置としている。
請求項５の発明は、請求項１記載の指力測定装置において、測定素子に補助器を設け、補助器に測定素子外部に噛み合わせるための噛み合わせ体を設けて、噛み合わせ体の開口部に２枚の圧板を設け、
測定する指により圧板を閉合させ、
測定素子はさらに、圧力源に連結し、圧力源はきたい又は流体を測定素子に導入し、膨らませて、圧板を開かれたとき、表示素子に指の引張力量を表示することを特徴とする指力測定装置としている。
請求項６の発明は、請求項５記載の指力測定装置において、圧板は指で押すときに接触する貫通孔を設けることを特徴とする指力測定装置としている。
請求項７の発明は、請求項５記載の指力測定装置において、圧力源はゴムボールであり、このボムボールに空気弁を設け、空気は絞り操作により、測定素子に内部に流入し膨らませることを特徴とする指力測定装置としている。
請求項８の発明は、請求項５記載の指力測定装置において、圧力源はモータにより、ピストンシートを駆動し、ピストン台の空気を空気入口から空気出口に圧送し、導管により空気を測定素子に導入して膨らませ、
さらに、補助器に設ける２枚の圧板に正・負極電線を設け、閉合するときを導通状態となり、モータを稼働させる、開いたときは閉路状態になり、モータの稼働を停止することを特徴とする指力測定装置としている。
請求項９の発明は、一種の指力測定装置、主に測定素子、圧力源、表示素子より構成し、
そのうち、測定素子に指の力を掛ける圧接部と開き部を設け、
測定するとき、指の力を測定素子の圧接部に掛かり、圧力源により、圧力の値を開き部に伝送した上、表示素子より指力の引張力量を表示することを特徴とする指力測定装置としている。
請求項１０の発明は、請求項１または請求項９記載の指力測定装置において、圧接部と開き部に指で押すときに接触する貫通孔を設けることを特徴とする指力測定装置としている。
請求項１１の発明は、請求項１または請求項９記載の指力測定装置において、測定素子は二つの指サックを設け、この二つの指サックに正・負極電線を設ける、
さらに、この二つの指サックに指で接触するための孔を設け、被測定者の指を指サックに挿入し、孔で接触した上、正・負極導電体により、２本指の電流、抵抗、周波数および電気エネルギーの値を測定し、電流、抵抗、周波数および電気エネルギーの値を表示素子より表示することを特徴とする指力測定装置としている。
請求項１２の発明は、請求項１または請求項９記載の指力測定装置において、測定素子はピストル形状に類似することを特徴とする指力測定装置としている。
【発明の効果】
【０００７】
本指力測定器の測定素子に指力測定するとき加圧または引張力量を発生する圧接部もしくは開き部を設け、指に対する加圧力量をセンサーに伝送するか、または圧力源の開き力量を開き部に伝送する。さらに、センサーと圧力源はそれぞれ表示素子に接続しておく、指に対する加圧力量または引張力量を表示素子に表示させ、利用者の加圧力量または引張力量を素早く、かつ、正確に提供する主な目的を実現する。
【発明を実施するための最良の形態】
【０００８】
図１、２、３に示すものは、それぞれ本発明の好ましい実施例の立体組み立て、立体分解図、右側断面組み図である。本指力測定器は、主に測定素子１０および圧力計２０より構成する。図示の測定素子１０はゴムボールであり、測定素子１０に導管１１を設け、導管１１は圧力計２０と導通し、図４に示す圧力計２０は指針式である。図５に示す圧力計２０は液晶式であり、この圧力計２０の外部に回転盤２１を設け、この回転盤２１は圧力計２０上に回転して、回転盤２１の支持線２２を圧力計２０の目盛り２３に対応させる。
【０００９】
図６、７、８に示すものは、本発明実施例１の指力加圧測定時の動作を示す図である。親指と人指し指をＣ形状に折り曲げて、この２本指は測定素子１０のゴムボールを力一杯に押して、圧力計２０よりこの２本の最大加圧数値が表示される。このとき、圧力計２０外部の回転リング２１を回転子、回転リング２１の指示線２２を圧力計２０の目盛り２３に照準してから、第２回の加圧測定を行うことにより、第１回と第２回加圧測定の力量の相違を知ることができる。
【００１０】
図９、１０に示すものは、本発明実施例２における立体組合せおよび立体分解図である。この指力測定器は、測定素子１０、圧力計２０、圧力源３０より構成し、図示の圧力源３０はゴムボールを用いる。この測定素子１０は２本の導管１１、１２を設ける。そのうち、１本の導管１１は圧力計２０に導通し、もう１本の導管１２は圧力源３０に導通する。さらに、圧力源３０のゴムボールに空気弁３１を設け、外部の空気は圧力源３０に設けるゴムボールの圧縮操作により、測定素子１０内部に入り込む。操作するとき、手動加圧方式により、測定素子１０を膨張させる。
【００１１】
図１１に示す圧力計２０は指針式である。図１２に示す圧力計２０は液晶式である。圧力計２０に測定された２本指の加圧または引張力量が表示される。圧力計２０の外部は回転盤２１を取り付けて、回転盤２１は圧力計２０上に回して、回転盤２１上の指示線２２を圧力計２０の目盛り２３に照準する。測定素子１０に補助器４０を設け、この補助器４０に測定素子１０外部に噛み合わせるための噛み合わせ体４１を設けて、噛み合わせ体４１の開口部に２枚の圧板４２を設け、この２枚の圧板４２に、指で押すための貫通孔４２１を設け、親指と他の４本指のいずれは、補助器４０の圧板４２に押して、２枚の圧板４２を閉合状態にする。
【００１２】
図１３、１４に示すものは、本発明実施例２の指力加圧と反力測定状態を示す図である。親指と人指し指を環状に組んでから、この２本の指を環状に組んで、２本の指を補助器４０に設ける２枚の圧板４２に押して、圧力源３０のゴムボールを介して、測定素子１０を膨張させる。そして、２本指はC形状に開けたとき、圧力計２０はこの２本指の最大の引張力量が表示される。このとき、圧力計２０外部の回転盤２１を回して、回転盤２１の指示線２２を圧力計２０の目盛り２３に照準した上、第２回の引張力量測定を行い、第１回と第２回の引張力量差異を測定できる。
【００１３】
図１５に示すものは、本発明実施例２における電動式圧力源３０の組合せ断面を示す図である。本発明に提供する指力測定器の圧力源３０は、手動加圧方式のゴムボールのほか、図１５に示す電動式により空気を測定素子１０に送り込んで、測定素子１０を膨らませるか、またはポンプにより、気体または液体をそのまま測定素子１０のゴムボール内部に送り込む、あるいは測定素子１０を弾性部材に設ける。または測定素子５０は弾性部材そのものを弾性部材より作り上げて、弾性を持たせても良い。
【００１４】
図１６、１７に示すものは、本発明実施例３における立体組合せおよび立体分解を示す図である。主に測定素子５０、センサー６０、表示素子７０より構成する、そのうち、
測定素子５０はピストル状に近似し、測定素子５０は指の力を加わる圧接部５１を設ける。この測定素子５０はさらに、温度検出プローブ５２を付設しても良い。
センサー６０は圧力センサーであり、測定素子５０の圧接部５１がセンサー６０に力を加わることにより、指力量を測定できる。
表示素子７０は液晶表示装置であり、センサー６０より測定した指力量の値および温度検出プローブ５２より測定した体の温度を表示素子７０に表示できる。
【００１５】
図１８に示すものは、本発明実施例３における使用状態を示す図である。測定するとき、人指し指を測定素子５０の圧接部５１に圧力を掛けて、測定素子５０の圧接部５１により、その力量をセンサー６０に伝送した上、センサー６０より測定した指力量の値を表示素子７０に表示する。
【００１６】
図１９、２０に示すものは、本発明実施例４における立体組合せおよび立体分解を示す図である。図２１に示すものは、本発明実施例４における使用状態を示す図である。そのうち、測定素子５０と圧接部５１に対応した場所は位置決めと圧接部５１により、作動する二つの開き部５３を設け、この二つ開き部５３に指が接触するための貫通孔５３２を設けて、圧接部５１を圧力源とする。測定するとき、片手の人指し指は圧接部５１に押しておく、もう一つの手の人指し指と親指を二つ開き部５３が開くまで、押し続ける。これにより、この２本指の力量の値を測定する。
【００１７】
図２２、２３に示すものは、本発明実施例５における立体組合せおよび立体分解を示す図である。図２４に示すものは、本発明実施例５における使用状態を示す図である。そのうち、測定素子５０の外部はピストル状に近似しても良い。測定するとき、親指と人指し指２本の指を環状に組んで、圧接部５１に押して、センサー６０により、測定した指力量の値を表示素子７０に表示する。
【００１８】
図２５、２６に示すものは、本発明実施例６における立体組合せおよび立体分解を示す図である。図２７に示すものは、本発明実施例６における使用状態を示す図である。そのうち、センサー６０と表示素子７０は、電子式のほか、伸縮バネ６１と目盛り７１を組合せた機械式を設けることもできる。測定するとき、連結素子５４により、測定素子５０の圧接部５１で受けた圧接力量をセンサー６０の伸縮バネ６１に伝送した上、連結素子５４上の指針６２より、目盛り７１値を表示する。
【００１９】
図２８、２９に示すものは、本発明実施例７における立体組合せ図と立体分解を示す図である。測定素子５０に二つの指サック５５、５６を設け、この二つの指サック５５、５６に正極導電体５７と負極導電体５８をそれぞれに設ける。二つの指サック５５、５６に対応する場所に孔５０を設け、２本の指はこれに触れる。圧力源３０はモータ３２により、ピストンシート３３を駆動し、ピストン台３４内部の空気は空気入口３５から空気出口３６に圧縮してから、導管３７により、空気を測定素子５０に伝送し、測定素子５０を膨張させる。さらに、補助器４０の２枚の圧板４２は指に触れさせるための貫通孔４２１を設ける。
【００２０】
図３０に示すものは、本発明実施例７における使用状態図の１である。測定するとき、２本の指は二つの指サック５５、５６に挿入し、孔５０に触れさせ、二つの指サック５５、５６内部の正・負極導電体５７、５８より２本指間の電流、抵抗、周波数および電気エネルギーの値を測定し、電流、抵抗、周波数および電気エネルギーの値を表示素子７０より表示させる。
【００２１】
図３１に示すものは、本発明実施例７における使用状態図の２である。前記の実施例２における操作方式は同じである。親指と人指し指２本の指を環状に組んで、この２本指を補助器４０に設ける２枚の圧板４２上に押さえる。２枚の圧板４２を閉合したとき、導通状態となり、モータ３２より空気を引き続きに導入し、測定素子１０を外部に膨張させる。この２枚の圧板４２が開いたとき、２本の指はＣ形状に開かれ、閉路状態となり、モータ３２は稼働を中止し、表示素子７０より、この２本指が受けられる最大の引張力の値を表示する。
【図面の簡単な説明】
【００２２】
【図１】本発明の実施例１における立体組み合わせ図である。
【図２】本発明の実施例１における立体分解図である。
【図３】本発明の実施例１における右側断面組み合わせ図である。
【図４】本発明の実施例１において、指針または圧力計を使用するときの正面を示す図である。
【図５】本発明の実施例１において、液晶圧力計を使用するときの正面を示す図である。
【図６】本発明の実施例１において、指力加圧測定する前の動作を示す図である。
【図７】本発明の実施例１において、指力加圧測定するときの動作を示す図（指針または圧力計）である。
【図８】本発明の実施例１において、指力加圧測定する前の動作を示す図（液晶式圧力計）である。
【図９】本発明の実施例２における立体組み合わせを示す図である。
【図１０】本発明の実施例２における立体組み合わせを示す図である。
【図１１】本発明の実施例２において、指針または圧力計を使用するときの正面を示す図である。
【図１２】本発明の実施例２において、液晶圧力計を使用するときの正面を示す図である。
【図１３】本発明の実施例２において、指力加圧測定する前の操作を示す図である。
【図１４】本発明の実施例２において、指力反力測定するときの操作を示す図（指針式圧力計）である。
【図１５】本発明の実施例２において、電動式圧力源を使用するときの正面を示す図である。
【図１６】本発明の実施例３における立体組み合わせを示す図である。
【図１７】本発明の実施例３における立体分解を示す図である。
【図１８】本発明の実施例３における使用状態を示す図である。
【図１９】本発明の実施例４における立体組み合わせを示す図である。
【図２０】本発明の実施例４における立体分解を示す図である。
【図２１】本発明の実施例４における使用状態を示す図である。
【図２２】本発明の実施例５における立体組み合わせを示す図である。
【図２３】本発明の実施例５における立体分解を示す図である。
【図２４】本発明の実施例５における使用状態を示す図である。
【図２５】本発明の実施例６における立体組み合わせを示す図である。
【図２６】本発明の実施例６における立体分解を示す図である。
【図２７】本発明の実施例６における使用状態を示す図である。
【図２８】本発明の実施例７における立体組み合わせを示す図である。
【図２９】本発明の実施例７における立体分解を示す図である。
【図３０】本発明の実施例７における使用状態を示す図である。
【図３１】本発明の実施例７におけるもう一つ使用状態を示す図である。
【符号の説明】
【００２３】
１０  測定素子      １１  導管
１２  導管
２０  圧力計        ２１  回転盤
２２  指示線        ２３  目盛り
３０  圧力源        ３１  エアバルブ
３２  モータ        ３３  ピストンシ―ト
３４  ピストン台    ３５  空気入口
３６  空気出口      ３７  導管
４０  補助器        ４１  噛み合わせ体
４２  圧板          ４２１  貫通孔
４３  正極電線      ４４  負極電線
５０  測定素子      ５１  圧接部
５２  温度検出プローブ    ５３  開き部
５３１  貫通孔      ５４  連結素子
５５  指サック      ５６  指サック
５７  正極導電体    ５８  負極導電体
５９  孔
６０  センサー      ６１  伸縮バネ
６２  指針
７０  表示素子      ７１  目盛り
【図１】
2007167188.tif 000003
【図２】
2007167188.tif 000004
【図３】
2007167188.tif 000005
【図４】
2007167188.tif 000006
【図５】
2007167188.tif 000007
【図６】
2007167188.tif 000008
【図７】
2007167188.tif 000009
【図８】
2007167188.tif 000010
【図９】
2007167188.tif 000011
【図１０】
2007167188.tif 000012
【図１１】
2007167188.tif 000013
【図１２】
2007167188.tif 000014
【図１３】
2007167188.tif 000015
【図１４】
2007167188.tif 000016
【図１５】
2007167188.tif 000017
【図１６】
2007167188.tif 000018
【図１７】
2007167188.tif 000019
【図１８】
2007167188.tif 000020
【図１９】
2007167188.tif 000021
【図２０】
2007167188.tif 000022
【図２１】
2007167188.tif 000023
【図２２】
2007167188.tif 000024
【図２３】
2007167188.tif 000025
【図２４】
2007167188.tif 000026
【図２５】
2007167188.tif 000027
【図２６】
2007167188.tif 000028
【図２７】
2007167188.tif 000029
【図２８】
2007167188.tif 000030
【図２９】
2007167188.tif 000031
【図３０】
2007167188.tif 000032
【図３１】
2007167188.tif 000033